(57)【特許請求の範囲】
【請求項１】
走行車に連結される機体と、
この機体に設けられ、耕耘作業をする耕耘体と、
この耕耘体の上方部を覆うカバー体と、
前記耕耘体の後方で整地作業をする整地体と、
弾性体で構成されかつ可撓性を有し、前記カバー体の前端部に設けられ、前記走行車に乗った作業者が前記耕耘体の耕耘深さを目視確認するための目印手段とを備え、
前記目印手段は、左右方向に並んで位置し、それぞれの下端が異なる高さに位置する複数の目印部を有する
ことを特徴とする農作業機。
【請求項２】
複数の目印部は、左右方向に間隔をおいて並んで位置する
ことを特徴とする請求項１記載の農作業機。
【請求項３】
目印手段は、複数の目印部のそれぞれの上端を繋ぐ取付部を有し、
前記取付部は、カバー体の前端部に取り付けられている
ことを特徴とする請求項２記載の農作業機。
【請求項４】
複数の目印部は、左右方向に一体的に連続して並んで位置する
ことを特徴とする請求項１記載の農作業機。
【請求項５】
複数の目印部は、カバー体に対して上下位置調整可能となっている
ことを特徴とする請求項１ないし４のいずれか一記載の農作業機。
【請求項６】
複数の目印部は、走行車のタイヤの後方位置から側方にずれて位置する
ことを特徴とする請求項１ないし５のいずれか一記載の農作業機。
【請求項７】
走行車に連結される機体と、
この機体に設けられ、耕耘作業をする耕耘体と、
この耕耘体の上方部を覆うカバー体と、
前記耕耘体の後方で整地作業をする整地体と、
弾性体で構成されかつ可撓性を有し、前記カバー体の前端部に設けられ、前記走行車に乗った作業者が前記耕耘体の耕耘深さを目視確認するための目印手段とを備え、
前記目印手段は、左右方向に並んで位置し、それぞれの上端が異なる高さに位置する複数の目印用切欠部を有する
ことを特徴とする農作業機。
【請求項８】
複数の目印用切欠部は、左右方向に間隔をおいて並んで位置する
ことを特徴とする請求項７記載の農作業機。
【請求項９】
複数の目印用切欠部は、左右方向に一体的に連続して並んで位置する
ことを特徴とする請求項７記載の農作業機。
【請求項１０】
複数の目印用切欠部は、カバー体に対して上下位置調整可能となっている
ことを特徴とする請求項７ないし９のいずれか一記載の農作業機。
【請求項１１】
複数の目印用切欠部は、走行車のタイヤの後方位置から側方にずれて位置する
ことを特徴とする請求項７ないし１０のいずれか一記載の農作業機。
【請求項１２】
目印手段は、耕耘体の前方部を覆う前カバー体の機能を兼ね備えている
ことを特徴とする請求項７ないし１１のいずれか一記載の農作業機。
【発明の詳細な説明】
【技術分野】
【０００１】
本発明は、耕耘体の耕耘深さを容易に目視確認できる農作業機に関する。
【背景技術】
【０００２】
従来、例えば特許文献１に記載された農作業機が知られている。
【０００３】
この従来の農作業機は、トラクタ等の走行車の後部に連結される機体と、機体に設けられ耕耘作業をする耕耘体と、耕耘体の上方部を覆うカバー体と、耕耘体の後方で整地作業をする整地体と、走行車に乗った作業者が耕耘体の耕耘深さ（圃場面下深さ）を目視確認するための目印手段とを備えている。
【０００４】
また、目印手段は、カバー体の前端部に下方に向かって突出状に設けられた前後方向に沿った板状の耕深確認ゲージにて構成されている。耕深確認ゲージは、板厚面である前面が上方から下方に行くに従い後方に後退した形状で、階段状の切欠部が複数設けてあるゲージ面を有し、このゲージ面の上方部にはカバー体の前端部への取付部が設けられている。
【先行技術文献】
【特許文献】
【０００５】
【特許文献１】特開２００７−３３０１８１号公報（第４頁の段落[００１９]、図４）
【発明の概要】
【発明が解決しようとする課題】
【０００６】
しかしながら、上記従来の農作業機では、目印手段である板状の耕深確認ゲージは、板厚面である前面が上方から下方に行くに従い後方に後退した形状で階段状の切欠部が複数設けてあるゲージ面を有するものであるため、走行車に乗った作業者からは、階段状の切欠部が見えにくく、耕耘体の耕耘深さを目視確認しずらいという問題がある。
【０００７】
本発明は、このような点に鑑みなされたもので、走行車に乗った作業者が耕耘体の耕耘深さを容易に目視確認できる農作業機を提供することを目的とする。
【課題を解決するための手段】
【０００８】
請求項１記載の農作業機は、走行車に連結される機体と、この機体に設けられ、耕耘作業をする耕耘体と、この耕耘体の上方部を覆うカバー体と、前記耕耘体の後方で整地作業をする整地体と、弾性体で構成されかつ可撓性を有し、前記カバー体の前端部に設けられ、前記走行車に乗った作業者が前記耕耘体の耕耘深さを目視確認するための目印手段とを備え、前記目印手段は、左右方向に並んで位置し、それぞれの下端が異なる高さに位置する複数の目印部を有するものである。
【０００９】
請求項２記載の農作業機は、請求項１記載の農作業機において、複数の目印部は、左右方向に間隔をおいて並んで位置するものである。
【００１０】
請求項３記載の農作業機は、請求項２記載の農作業機において、目印手段は、複数の目印部のそれぞれの上端を繋ぐ取付部を有し、前記取付部は、カバー体の前端部に取り付けられているものである。
【００１１】
請求項４記載の農作業機は、請求項１記載の農作業機において、複数の目印部は、左右方向に一体的に連続して並んで位置するものである。
【００１２】
請求項５記載の農作業機は、請求項１ないし４のいずれか一記載の農作業機において、複数の目印部は、カバー体に対して上下位置調整可能となっているものである。
【００１３】
請求項６記載の農作業機は、請求項１ないし５のいずれか一記載の農作業機において、複数の目印部は、走行車のタイヤの後方位置から側方にずれて位置するものである。
【００１４】
請求項７記載の農作業機は、走行車に連結される機体と、この機体に設けられ、耕耘作業をする耕耘体と、この耕耘体の上方部を覆うカバー体と、前記耕耘体の後方で整地作業をする整地体と、弾性体で構成されかつ可撓性を有し、前記カバー体の前端部に設けられ、前記走行車に乗った作業者が前記耕耘体の耕耘深さを目視確認するための目印手段とを備え、前記目印手段は、左右方向に並んで位置し、それぞれの上端が異なる高さに位置する複数の目印用切欠部を有するものである。
【００１５】
請求項８記載の農作業機は、請求項７記載の農作業機において、複数の目印用切欠部は、左右方向に間隔をおいて並んで位置するものである。
【００１６】
請求項９記載の農作業機は、請求項７記載の農作業機において、複数の目印用切欠部は、左右方向に一体的に連続して並んで位置するものである。
【００１７】
請求項１０記載の農作業機は、請求項７ないし９のいずれか一記載の農作業機において、複数の目印用切欠部は、カバー体に対して上下位置調整可能となっているものである。
【００１８】
請求項１１記載の農作業機は、請求項７ないし１０のいずれか一記載の農作業機において、複数の目印用切欠部は、走行車のタイヤの後方位置から側方にずれて位置するものである。
【００１９】
請求項１２記載の農作業機は、請求項７ないし１１のいずれか一記載の農作業機において、目印手段は、耕耘体の前方部を覆う前カバー体の機能を兼ね備えているものである。
【発明の効果】
【００２０】
請求項１に係る発明によれば、走行車に乗った作業者から目印部が見やすいため、走行車に乗った作業者が耕耘体の耕耘深さを容易に目視確認できる。
【００２１】
請求項２に係る発明によれば、複数の目印部は左右方向に間隔をおいて並んで位置するため、走行車に乗った作業者が耕耘体の耕耘深さをより一層容易に目視確認できる。
【００２２】
請求項３に係る発明によれば、各目印部をカバー体に個別に取り付ける必要がなく、カバー体への取付作業の容易化を図ることができる。
【００２３】
請求項４に係る発明によれば、複数の目印部は左右方向に一体的に連続して並んで位置するため、各目印部をカバー体に個別に取り付ける必要がなく、カバー体への取付作業の容易化を図ることができる。
【００２４】
請求項５に係る発明によれば、複数の目印部はカバー体に対して上下位置調整可能となっているため、圃場の状態等に適切に対応できる。
【００２５】
請求項６に係る発明によれば、複数の目印部は走行車のタイヤの後方位置から側方にずれて位置するため、走行車のタイヤが目視の邪魔にならず、走行車に乗った作業者が耕耘体の耕耘深さをより一層容易に目視確認できる。
【００２６】
請求項７に係る発明によれば、走行車に乗った作業者から目印用切欠部が見やすいため、走行車に乗った作業者が耕耘体の耕耘深さを容易に目視確認できる。
【００２７】
請求項８に係る発明によれば、複数の目印用切欠部は左右方向に間隔をおいて並んで位置するため、走行車に乗った作業者が耕耘体の耕耘深さをより一層容易に目視確認できる。
【００２８】
請求項９に係る発明によれば、複数の目印用切欠部は左右方向に一体的に連続して並んで位置するため、各目印用切欠部を個別に形成する必要がなく、複数の目印用切欠部を容易に形成できる。
【００２９】
請求項１０に係る発明によれば、複数の目印用切欠部はカバー体に対して上下位置調整可能となっているため、圃場の状態等に適切に対応できる。
【００３０】
請求項１１に係る発明によれば、複数の目印用切欠部は走行車のタイヤの後方位置から側方にずれて位置するため、走行車のタイヤが目視の邪魔にならず、走行車に乗った作業者が耕耘体の耕耘深さをより一層容易に目視確認できる。
【００３１】
請求項１２に係る発明によれば、目印手段は耕耘体の前方部を覆う前カバー体の機能を兼ね備えているため、目印手段とは別体の前カバー体を設ける必要がない。
【図面の簡単な説明】
【００３２】
【図１】本発明の第１の実施の形態に係る農作業機の側面図である。
【図２】同上農作業機の平面図である。
【図３】同上農作業機の部分正面図である。
【図４】同上農作業機の目印部の正面図である。
【図５】本発明の第２の実施の形態に係る農作業機の部分正面図である。
【図６】本発明の第３の実施の形態に係る農作業機の目印部の正面図である。
【図７】本発明の第４の実施の形態に係る農作業機の目印部の正面図である。
【図８】本発明の第５の実施の形態に係る農作業機の目印部の正面図である。
【図９】本発明の第６の実施の形態に係る農作業機の目印部の正面図である。
【図１０】本発明の第７の実施の形態に係る農作業機の部分正面図である。
【図１１】同上農作業機の目印用切欠部の正面図である。
【図１２】本発明の第８の実施の形態に係る農作業機の目印用切欠部の正面図である。
【図１３】本発明の第９の実施の形態に係る農作業機の目印用切欠部の正面図である。
【図１４】本発明の第１０の実施の形態に係る農作業機の正面図である。
【図１５】本発明の第１１の実施の形態に係る農作業機の正面図である。
【発明を実施するための形態】
【００３３】
本発明の第１の実施の形態を図１ないし図４を参照して説明する。
【００３４】
図中の１は農作業機で、この農作業機１は、例えば走行車であるトラクタＴの後部に連結して使用する代掻き作業機（耕耘整地装置）である。そして、農作業機１は、トラクタＴの後部に連結された状態で、圃場においてトラクタＴの前進走行により進行方向である前方に向かって移動しながら、代掻き作業（耕耘整地作業）を行う。
【００３５】
農作業機１は、トラクタＴの後部の３点リンク部（作業機昇降装置）に連結される機体２を備えている。
【００３６】
機体２は、トップマスト３およびロワアーム４等にて構成された３点連結部５を有し、この３点連結部５はトラクタＴの３点リンク部に連結される。機体２は、左右方向中央部にギアケース部６を有し、このギアケース部６にて入力軸７が回転可能に支持されている。入力軸７は、トラクタＴのＰＴＯ軸に動力伝達手段を介して接続される。
【００３７】
機体２は、ギアケース部６に取り付けられた左右方向長手状の左右１対のフレームパイプ部８を有している。左側のフレームパイプ部８の一端部である左端部には、チェーンケース部９の上端部が取り付けられている。右側のフレームパイプ部８の他端部である右端部には、ブラケット部10の上端部が取り付けられている。
【００３８】
そして、チェーンケース部９の下端部およびブラケット部10の下端部には、入力軸７側からの動力で左右方向の回転中心軸線を中心として所定方向に回転しながら耕耘作業をするロータリー式の耕耘体11が回転可能に架設されている。つまり、機体２には、左右方向長手状の耕耘体11が左右方向の回転中心軸線を中心として回転可能に設けられている。
【００３９】
耕耘体11は、軸方向一端部である左端部がチェーンケース部９にて回転可能に支持されかつ軸方向他端部である右端部がブラケット部10にて回転可能に支持された左右方向長手状の回転軸である耕耘軸12と、この耕耘軸12のうちこの耕耘軸12の軸方向に所定間隔をおいた複数のフランジ部分に放射状に突設された複数の耕耘爪13とを有している。
【００４０】
耕耘軸12は、チェーンケース部９内のチェーン、フレームパイプ部８内の伝動シャフトおよびギアケース部６内のギア等にて構成された動力伝達手段（図示せず）を介して入力軸７に接続されている。
【００４１】
また、チェーンケース部９の上下方向中間部およびブラケット部10の上下方向中間部には、土が上方へ飛散しないように耕耘体11の上方部略全体を覆う略板状のカバー体（上カバー手段）16が架設されている。つまり、機体２には、耕耘体11にて耕耘された泥土等の土が上方へ飛散するのを防止する左右方向長手状のカバー体16が固設されている。カバー体16は、上方に向かって凸の略湾曲板状に形成されている。なお、カバー体16の左右方向長さ寸法は、耕耘体11の左右方向長さ寸法と略同じである。
【００４２】
さらに、カバー体16の左右方向両端部には、土が側方へ飛散しないように耕耘体11の側方部を覆う前側板17および後側板18が固設されている。
【００４３】
また、カバー体16の後端部には、耕耘体11の後方で整地作業をする左右方向長手状の整地体21が弾性板であるゴム板22を介して上下方向に回動可能に設けられている。整地体21は、上端部がカバー体16の後端部にゴム板22を介して取り付けられた略板状の第１整地板（均平板）23と、この第１整地板23の後端部に回動可能に取り付けられた略板状の第２整地板（レーキ）24と、この第２整地板24の左右方向両端部に折畳および展開可能に取り付けられた略板状の延長整地板（延長レーキ）25とを有している。
【００４４】
なお、整地体21と機体２とが整地体設定手段26にて連結されており、この整地体設定手段26の操作レバー27の操作によって整地体21が代掻き作業状態（機体２に対して上下回動可能なフリー状態）と土引き作業状態（機体２に対して固定されるロック状態）とに選択的に設定される。
【００４５】
また一方、カバー体16の前端部には、トラクタＴの運転席に乗った作業者（運転者）が耕耘体11の耕耘深さ（圃場面下深さ）Ａを目視確認するための複数、例えば２つの目印手段31がカバー体16の前端部の下端から下方に向かって突出状に設けられている。つまり、カバー体16の前端部の２箇所（例えば左端近傍および右端近傍）には、目印手段31が取付手段32にて脱着可能に取り付けられている。なお、取付手段32は、例えばボルト33およびナット34である。
【００４６】
ここで、各目印手段31は、図４に示されるように、進行方向に対して直交する方向である左右方向に等間隔をおいて並んで位置しそれぞれの左右方向一直線状の下端36aが異なる高さに位置する複数、例えば３つの上下方向長手状で帯状の目印部36を有している。
【００４７】
目印部36の上下方向長さ寸法は、それぞれ異なり、外側方側から内側方側に向って徐々に長くなっている。なお、それとは反対に、目印部36の上下方向長さ寸法が外側方側から内側方側に向って徐々に短くなるようにしてもよい。目印部36は、例えば細長矩形状のゴム板或いは樹脂板等の弾性変形可能な弾性体、例えば弾性帯等にて構成されている。
【００４８】
目印部36の上部が取付部37となっており、この取付部37が取付手段32にてカバー体16の前端部の前面にこの前面に沿って脱着可能に取り付けられている。つまり、複数の目印部36がそれぞれ個別にカバー体16に脱着可能に取り付けられている。
【００４９】
そして、目印部36のうち取付部37以外の部分が、カバー体16の前端部の下端から下方に向かって突出し、耕耘体11の前方に位置している。また、目印部36の下端36aはそれぞれ異なる高さに位置するが、目印部36の上端36bはそれぞれ同じ高さに位置している。さらに、左右方向に互いに隣り合う目印部36間には隙間40があり、この隙間40は少なくとも隣り合う目印部36の対向する側端部同士が接触しない程度あればよい。
【００５０】
目印部36は、トラクタＴのタイヤ（例えば後輪）Ｔ1の後方位置、つまり正面視でタイヤＴ1と重なる位置から側方にずれて位置し、トラクタＴの運転席に乗った作業者から目視可能な位置に位置している。
【００５１】
なお、例えば図示しないが、目印部36がカバー体16に対して上下位置調整可能となるような構成としてもよい。
【００５２】
次に、農作業機１の作用等を説明する。
【００５３】
圃場、すなわち例えば水を溜めた水田において、トラクタＴの前進走行により農作業機１を前方に移動させると、耕耘体11にて耕耘作業が行われ、この耕耘体11の後方で整地体21にて整地作業が行われる。つまり、耕耘体11と整地体21とにて代掻き作業（耕耘整地作業）が行われる。
【００５４】
この際、トラクタＴの運転席に乗った作業者は、トラクタＴに乗ったまま、目印手段31の目印部36を見て、耕耘体11の耕耘深さＡを目視確認する。
【００５５】
すなわち例えば、トラクタＴの運転席に乗った作業者は、トラクタＴの３点リンク部の作動で農作業機１をトラクタＴに対して上下位置調整することにより、１回目の代掻き作業時には１番低い目印部36の下端36aを圃場面（圃場の水面）に一致させ、２回目の代掻き作業時には１番高い目印部36の下端36aを圃場面（圃場の水面）に一致させる。こうすることで、それぞれの代掻き作業時において、耕耘体11が圃場全体にわたって所望の耕耘深さＡで耕耘作業を行うこととなる。
【００５６】
そして、このような農作業機１によれば、従来の構成に比べて、トラクタＴに乗った作業者から左右方向に並ぶ複数の目印部36、つまり耕耘体11の耕耘深さＡの目安が見やすいため、トラクタＴに乗った作業者が耕耘体11の耕耘深さＡを一見して容易かつ正確に目視確認でき、よって、適切な耕耘整地作業ができる。
【００５７】
また、複数の目印部36は左右方向に間隔をおいて並んで位置するため、各目印部36は隣りの目印部36の曲げ弾性変形の悪影響をまったく受けず、トラクタＴに乗った作業者が耕耘体11の耕耘深さＡをより一層容易に目視確認でき、しかも、目印部36が破損した場合には、その破損した目印部36のみを交換することができる。
【００５８】
さらに、複数の目印部36はトラクタＴのタイヤＴ1の後方位置から側方にずれて位置するため、トラクタＴのタイヤＴ1が目視の邪魔にならず、トラクタＴに乗った作業者が耕耘体11の耕耘深さＡをより一層容易に目視確認でき、しかも、タイヤＴ1の通過により形成される凹状のタイヤ跡の悪影響を受けることもない。
【００５９】
また、複数の目印部36をカバー体16に対して上下位置調整可能とした場合には、目印部36の上下位置を調整することができ、圃場の状態等に適切に対応できる。
【００６０】
次に、本発明の第２の実施の形態を図５を参照して説明する。
【００６１】
第２の実施の形態に係る農作業機１は、第１の実施の形態のものとは異なり、４つの目印手段31を備えている。
【００６２】
正面視左側の２つの目印手段31は、トラクタＴの進行方向右のタイヤＴ1の後方位置から内側方および外側方にそれぞれ少しだけずれて位置し、トラクタＴの運転席に乗った作業者から目視可能な位置に位置している。同様に、正面視右側の２つの目印手段31は、トラクタＴの進行方向左のタイヤＴ1の後方位置から内側方および外側方にそれぞれ少しだけずれて位置し、トラクタＴの運転席に乗った作業者から目視可能な位置に位置している。なお、第２の実施の形態のその他の構成は、第１の実施の形態と同じである。
【００６３】
そして、この第２の実施の形態に係る農作業機１でも、トラクタＴに乗った作業者が耕耘体11の耕耘深さＡを一見して容易に目視確認できる等の作用効果を奏することができ、特に、タイヤＴ1の後方位置から外側方側にずれた目印手段31に関しては、トラクタＴに乗った作業者は、トラクタＴの側部に設けられたミラーを利用して簡単に見ることができる。
【００６４】
なお、目印手段31の数は、２つや４つには限定されず、任意であり、例えば１つでもよく、３つ或いは５つ以上でもよい。
【００６５】
次に、本発明の第３の実施の形態を図６を参照して説明する。
【００６６】
第３の実施の形態に係る農作業機１の目印手段31は、第１の実施の形態のものとは異なり、複数の目印部36のそれぞれの上端を繋ぐ略矩形板状の取付部41を有し、この取付部41が取付手段32にてカバー体16の前端部に脱着可能に取り付けられている。つまり、複数の目印部36が取付部41によって一体化されており、目印手段31が所定形状に形成されたゴム板或いは樹脂板等の弾性変形可能な１つの弾性体にて構成されている。なお、第３の実施の形態のその他の構成は、第１の実施の形態と同じである。
【００６７】
そして、この第３の実施の形態に係る農作業機１でも、トラクタＴに乗った作業者が耕耘体11の耕耘深さＡを一見して容易に目視確認できる等の作用効果を奏することができ、しかも、この農作業機１は目印手段31が複数の目印部36のそれぞれの上端を繋ぐ取付部41を有する構成であるため、各目印部36をカバー体16に個別に取り付ける必要がなく、目印手段31のカバー体16への取付作業の容易化を図ることができる。なお、取付部41の形状は、任意であり、各目印部36の上端を繋ぐ左右方向長手状等でもよい。
【００６８】
また、この第３の実施の形態においては、取付部41がカバー体16の前端部に上下位置調整できない状態で取り付けられているが、複数の目印部36がカバー体16に対して上下位置調整可能となるような構成としてもよい。
【００６９】
例えば図７に示す第４の実施の形態に係る農作業機１の目印手段31のように、取付部41に上下方向長手状の長孔42が形成され、この長孔42に取付手段32のボルト33が挿入された構成等でもよい。
【００７０】
また、例えば図８に示す第５の実施の形態に係る農作業機１の目印手段31のように、取付部41に上下方向に間隔をおいて並ぶ複数の略円形状の孔43が形成され、これら複数の孔43の中から選択された孔43に取付手段32のボルト33が挿入された構成等でもよい。
【００７１】
これら図７および図８に示された目印手段31は、前記第１の実施の形態等とは異なり、下端36aが異なる高さに位置する４つの目印部36を有している。なお、目印部36の数は２つ以上であれば任意であり、５つや６つ以上でもよい。
【００７２】
また、前記第１〜５の実施の形態では、複数の目印部36が左右方向に間隔をおいて並んで位置する構成について説明したが、例えば図９に示す第６の実施の形態に係る農作業機１の目印手段31のように、複数（例えば４つ）の目印部36が左右方向に一体的に連続して並んで位置する構成でもよい。つまり、この構成では、目印手段31を構成する弾性体の下端部が階段状に形成されている。なお、例えば図示しないが、目印部36がカバー体16に対して上下位置調整可能となるような構成としてもよい。
【００７３】
そして、この第６の実施の形態に係る農作業機１でも、トラクタＴに乗った作業者が耕耘体11の耕耘深さＡを一見して容易に目視確認できる等の作用効果を奏することができ、しかも、この農作業機１は目印手段31が複数の目印部36が左右方向に一体的に連続して並んで位置する構成であるため、各目印部36をカバー体16に個別に取り付ける必要がなく、目印手段31のカバー体16への取付作業の容易化を図ることができる。
【００７４】
次に、本発明の第７の実施の形態を図１０および図１１を参照して説明する。
【００７５】
第７の実施の形態に係る農作業機１は、第１の実施の形態等とは異なり、トラクタＴに乗った作業者が耕耘体11の耕耘深さＡを目視確認するためのものであって、土が前方へ飛散しないようにその耕耘体11の前方部を覆う前カバー体の機能を兼ね備えた目印手段51を備えている。
【００７６】
目印手段51は、例えば左右方向長さ寸法がカバー体16の左右方向長さ寸法と略同じ左右方向長手状で略矩形状のゴム板或いは樹脂板等の弾性変形可能な１枚板状の弾性体である前カバー板52にて構成されている。
【００７７】
そして、前カバー板52は、取付手段32にてカバー体16の前端部にこの前端部の下端から下方に向かって突出状に設けられている。つまり、前カバー板52の上部が取付部53となっており、この取付部53が取付手段32にてカバー体16の前端部の前面にこの前面に沿って脱着可能に取り付けられている。そして、前カバー板52のうち取付部53以外の部分が、カバー体16の前端部の下端から下方に向かって突出し、耕耘体11の前方に位置し、その結果、耕耘体11の前方部の略全体が前カバー板52にて覆われている。
【００７８】
また、前カバー板52は、下方に向かって開口するように下端部の複数箇所、例えば４箇所に切欠形成され左右方向に一体的に連続して並んで位置しそれぞれの左右方向一直線状の上端56aが異なる高さに位置する複数、例えば３つの上下方向長手状で帯状の目印用切欠部56を有している。
【００７９】
つまり、前カバー板52の下端部の４箇所には、連続した３つの目印用切欠部56が形成されており、各目印用切欠部56は、トラクタＴのタイヤ（例えば後輪）Ｔ1の後方位置、つまり正面視でタイヤＴ1と重なる位置から側方にずれて位置し、トラクタＴの運転席に乗った作業者から目視可能な位置に位置している。
【００８０】
また、目印用切欠部56の上下方向長さ寸法は、それぞれ異なり、外側方側から内側方側に向って徐々に短くなっている。
【００８１】
なお、例えば図示しないが、目印用切欠部56がカバー体16に対して上下位置調整可能となるように、前カバー板52に長孔等が形成され、前カバー板52がカバー体16の前端部に取付手段32にて上下位置調整可能に取り付けられた構成等としてもよい。
【００８２】
そして、この第７の実施の形態に係る農作業機１でも、従来の構成に比べて、トラクタＴに乗った作業者から左右方向に並ぶ複数の目印用切欠部56が見やすいため、トラクタＴに乗った作業者が耕耘体11の耕耘深さＡを一見して容易かつ正確に目視確認できる等の作用効果を奏することができる。
【００８３】
しかも、目印手段51である前カバー板52が耕耘体11の前方部略全体を覆う前カバー体の機能を兼ね備えているため、前カバー板52とは別体の前カバー体を設ける必要がなく、前カバー板52にて耕耘体11にて耕耘された土が前方へ飛散するのを防止でき、泥土等がトラクタＴにかかるのを防ぐことができる。
【００８４】
また、前カバー板52の下端側に下方に向かって開口状に切欠形成された複数の目印用切欠部56が、左右方向に一体的に連続して並んで位置するため、各目印用切欠部56を前カバー板52に個別に形成する必要がなく、複数の目印用切欠部56を容易に形成でき、前カバー板52の製造性が良好である。
【００８５】
さらに、複数の目印用切欠部56はトラクタＴのタイヤＴ1の後方位置から側方にずれて位置するため、トラクタＴのタイヤＴ1が目視の邪魔にならず、トラクタＴに乗った作業者が耕耘体11の耕耘深さＡをより一層容易に目視確認でき、しかも、タイヤＴ1の通過により形成される凹状のタイヤ跡の悪影響を受けることもない。
【００８６】
また、複数の目印用切欠部56をカバー体16に対して上下位置調整可能とした場合には、目印用切欠部56の上下位置を調整することができ、圃場の状態等に適切に対応できる。
【００８７】
なお、例えば図示しないが、各上端56aが異なる高さに位置する連続した複数の目印用切欠部56が前カバー板52の下端部の１箇所のみに形成された構成や、３箇所以上に形成された構成等でもよい。また、前カバー板52の各箇所に形成される目印用切欠部56の数は２つ以上であれば任意であり、４つ、５つや６つ以上でもよい。
【００８８】
一方、前記第７の実施の形態では、複数の目印用切欠部56が左右方向に一体的に連続して並んで位置する構成について説明したが、例えば図１２に示す第８の実施の形態に係る農作業機１の目印手段51のように、トラクタＴのタイヤＴ1の後方位置から側方にずれた位置において、複数（例えば３つ）の目印用切欠部56が左右方向に等間隔をおいて並んで位置する構成でもよい。つまり、この構成では、左右方向に互いに隣り合う目印用切欠部56間には帯状部57があり、この帯状部57の幅寸法は目印用切欠部56の左右方向長さ寸法と略同じである。
【００８９】
そして、この第８の実施の形態に係る農作業機１でも、トラクタＴに乗った作業者が耕耘体11の耕耘深さＡを一見して容易に目視確認できる等の作用効果を奏することができる。
【００９０】
また、例えば図１３に示す第９の実施の形態の目印手段51のように、前カバー体の機能を兼ね備えていない板状の弾性体である弾性板61に目印用切欠部56が形成された構成でもよい。
【００９１】
さらに、前記いずれの実施の形態についても、例えば図１４および図１５に示すように、中央作業部71およびこの中央作業部71の左右方向両端部に折畳・展開可能に設けられた延長作業部72を有する３分割式の折畳式の農作業機１に適用することが可能である。
【００９２】
図１４に示す第１０の実施の形態では、中央作業部71のカバー体16の前端部の２箇所には複数の目印部36を有する目印手段31が取り付けられ、中央作業部71のカバー体16の前端部のうち目印手段31が取り付けられていない部分には目印手段31とは別体の前カバー体73，74が取り付けられている。
【００９３】
左右の各延長作業部72のカバー体16の前端部の１箇所には複数の目印部36を有する目印手段31が取り付けられ、延長作業部72のカバー体16の前端部のうち目印手段31が取り付けられていない部分には目印手段31とは別体の前カバー体75，76が取り付けられている。
【００９４】
なお、４つの目印手段31は同じ形状であり、左側の目印手段31は右側の目印手段31を裏返して取り付けたものである。また、中央作業部71の前カバー体74と延長作業部72の前カバー体76とは同じ形状である。
【００９５】
例えば図１５に示す第１１の実施の形態では、中央作業部71のカバー体16の前端部の２箇所には複数の目印用切欠部56を有する目印手段51である弾性板61が取り付けられ、中央作業部71のカバー体16の前端部のうち目印手段51が取り付けられていない部分には目印手段51とは別体の前カバー体81，82が取り付けられている。
【００９６】
左右の各延長作業部72のカバー体16の前端部の１箇所には複数の目印用切欠部56を有する目印手段51である弾性板61が取り付けられ、延長作業部72のカバー体16の前端部のうち目印手段51が取り付けられていない部分には目印手段51とは別体の前カバー体83が取り付けられている。
【００９７】
なお、４つの目印手段51は同じ形状であり、左側の目印手段51は右側の目印手段51を裏返して取り付けたものである。また、中央作業部71の前カバー体82と延長作業部72の前カバー体83とは同じ形状である。
【００９８】
また、農作業機１は、代掻き作業機には限定されず、例えば畑や、水を溜める前の水田等の圃場において耕耘整地作業をするロータリー作業機等でもよい。
【００９９】
なお、本発明の関連技術としては、例えば、耕耘体11の前方部を覆うカバー手段である前カバー体の高さの異なる位置に、円形、三角形、４角形等の孔部や、左右方向長手状の目印用凹部或いは目印用凹部等が設けられた構成等が考えられる。
【符号の説明】
【０１００】
１    農作業機
２    機体
11    耕耘体
16    カバー体
21    整地体
31    目印手段
36    目印部
41    取付部
51    目印手段
56    目印用切欠部
Ａ    耕耘深さ
Ｔ    走行車であるトラクタ
Ｔ1   タイヤ
【図１】
0005599621.tif 000002
【図２】
0005599621.tif 000003
【図３】
0005599621.tif 000004
【図４】
0005599621.tif 000005
【図５】
0005599621.tif 000006
【図６】
0005599621.tif 000007
【図７】
0005599621.tif 000008
【図８】
0005599621.tif 000009
【図９】
0005599621.tif 000010
【図１０】
0005599621.tif 000011
【図１１】
0005599621.tif 000012
【図１２】
0005599621.tif 000013
【図１３】
0005599621.tif 000014
【図１４】
0005599621.tif 000015
【図１５】
0005599621.tif 000016